(57)【要約】【課題】かつらベースに植設した毛髪の根元部を立ち上げることでボリューム感を図りながら、頭部に生育している自毛のようにあらゆる方向の動きを可能して、さらにかつら装着時に自然な凹凸による外観を表現できるかつら及びかつらベースを提供する。【解決手段】かつらベース２ａを多角形の網目を有する縦糸３１と横糸３２で構成し、隣接する縦糸３１ａ，３１ｂ間に、上方に半円状の緩やかな弧を描く曲線のループ４ａ１を、縦糸３１ｂ，３１ｃ間にループ４ａ２を順次形成し、且つ、ループ４ａ１〜４ａｎは隣接する縦糸３１間において、同一線上に配置せず、横方向に千鳥状に配列して形成する。【選択図】図２
2010144272.tif 000002
【特許請求の範囲】
【請求項１】
多角形の網目を有するネット部材と、該ネット部材の表面から立ち上がり半円状の緩やかな弧を描く複数のループとからなる、かつらベース。
【請求項２】
前記ループは、前記多角形の一つの辺と該辺と隣接しない一つの辺とを橋渡しして形成され、且つ隣り合うループは同一線上に配置されていない、請求項１記載のかつらベース。
【請求項３】
前記ループは、前記多角形の一つの辺と該辺と隣接しない一つの辺とを橋渡しして形成され且つ隣り合うループは同一線上に配置されていない第一ループと、前記多角形の一辺上又は該一辺から隣接する上記多角形の一辺上にかけて形成された第二ループと、を含む、請求項１記載のかつらベース。
【請求項４】
多角形の網目を有するネット部材と、該ネット部材の表面から立ち上がり半円状の緩やかな弧を描く複数のループと、該ループと反対方向に立ち上がり半円状の緩やかな弧を描く複数のクッションループと、を備えた、かつらベース。
【請求項５】
前記ループは、前記多角形の一つの辺と該辺と隣接しない一つの辺とを橋渡しして形成され、且つ隣り合うループは同一線上に配置されていない、請求項４記載のかつらベース。
【請求項６】
前記ループが、前記多角形の一つの辺と該辺と隣接しない一つの辺とを橋渡しして形成され且つ隣り合うループは同一線上に配置されていない第一ループと、前記多角形の一辺上又は該一辺から隣接する上記多角形の一辺上にかけて形成された第二ループと、を含む、請求項４記載のかつらベース。
【請求項７】
請求項１〜６の何れかに記載のかつらベースの前記ネット部材及び前記ループに毛髪が植設された、かつら。
【発明の詳細な説明】
【技術分野】
【０００１】
本発明は、かつらベース及びかつらベースに毛髪が植設されたかつらに関する。
【背景技術】
【０００２】
かつらは、基本的には、かつら装着者の頭部形状に類似する形状に成形されたかつらベースと、かつらベースに植設された人毛又は人工毛髪とから構成され、このかつらベースには、例えば合成樹脂製の人工皮膚やフィラメントを編成したネット素材が使用されている。かつらベースへの毛髪の植設は、人工皮膚の場合には、例えば人工皮膚に２ヶ所に穿孔して、その孔に毛髪を挿通させた後にかつらベースの表面上で結び目を作り結着させている。一方、かつらベースがネット素材の場合には、ネットを構成しているフィラメントに毛髪を捲回して結着する方法が行われている。しかし、これらの一般的な植設方法では、毛髪の立ち上がりが結び目に抑制されるのでボリュームが出ず、かつら全体が重く見えてしまうことが指摘されている。
【０００３】
また、一般的に、かつらベースに植設される毛髪の長さは均一なので、かつら表面の凹凸が少なく、人の頭部と比べて不自然な外観になり易い傾向にある。これらを克服するために、特許文献１及び特許文献２では種々の長さの毛髪をかつらベースに結び付けることで、短い毛髪が長い毛髪の立ち上がりを維持し、自然の毛髪に近い感触を持ったヘアピースにする技術を開示している。また、特許文献３では、かつらベースに植設する毛髪の折り返し位置を、毛髪全長の半分の位置以下にすることで、かつらベースの表面から突出する毛髪の長さが異なって不規則になるので、頭部に生育している自毛と近似した外観を呈することが開示されている。
【特許文献１】特開昭６３−１９６７０５号公報
【特許文献２】特開２００６−１８３２１４号公報
【特許文献３】特開平８−６０４２１号公報
【発明の開示】
【発明が解決しようとする課題】
【０００４】
これらの方法では、ある程度のボリューム感の向上や頭部に生育している自毛と近似した外観を呈させることはできる。しかし、かつらベースの表面は、人の頭部に似せて湾曲しているだけなので、植設した毛髪を立ち上げてボリュームを出すことや、かつら表面を人の頭部表面の凹凸に近似させることには限界がある。また、かつらベースの結着部分から延出した毛髪は結び目の状態によって可動範囲が限定的であるため、頭部に生育している自毛と比べて可動範囲が狭く、かつら装着時の意図しない毛分かれが発生する危険性が高かった。
【０００５】
本発明は、かつらベースに植設した毛髪の根元部を立ち上げることでボリューム感を図りながら、自毛のようにあらゆる方向の動きを可能にして、さらにかつら装着時に頭部形状の自然な凹凸による外観を表現できるかつらベースとこれに毛髪を植設して成るかつらを提供することを目的とする。
【課題を解決するための手段】
【０００６】
上記目的を達成するため、本発明のかつらベースは、多角形状の網目を有するネット部材と、ネット部材の表面から立ち上がり半円状の緩やかな弧を描く複数のループとからなる。
【０００７】
ネット部材上のループは、好ましくは、ネットの網目を構成する多角形の一つの辺とその辺と隣接しない一つの辺とを橋渡しして形成され、且つ隣り合うループは同一線上に配置される第一ループを構成している。
【０００８】
また、かつらベースは、第一ループに加えて、網目を構成する多角形一つの辺上、又はその一辺から隣接する多角形の一辺上にかけて形成された第二ループとを含んでいてもよい。
【０００９】
さらに本発明は、多角形の網目を有するネット部材と、ネット部材の表面から立ち上がり半円状の緩やかな弧を描く複数のループと、ループと反対方向に立ち上がり半円状の緩やかな弧を描く複数のクッションループと、を備えたかつらベースを提供する。
【００１０】
本発明のかつらは、多角形状の網目を有するネット部材と、ネット部材上に設けられた複数のループとに毛髪が植設されたものである。
【発明の効果】
【００１１】
本発明のかつらは、かつらベースに設けられたループが可撓性を有するので、かつら装着時にかつらの毛髪が、かつら装着時の頭部の動きに追随でき、頭部に生育している自毛と近似する動きが可能になり、かつら装着時の意図しない毛分かれが防止できる。また、植設した毛髪の結び目の位置がループとネット部材では高さが異なるので、従来のかつらにおける毛髪の結び目と比べて各毛髪の結び目位置に高低差が生じることで、迷彩効果が顕著になり自然な外観が得られる。
さらに、ネット部材に植設された毛髪がループに保持されるので毛髪の立ち上がりが良くなり、自然な外観やボリューム感が得られる。
【発明を実施するための最良の形態】
【００１２】
以下、本発明の幾つかの実施の形態について図面を参照して詳細に説明する。
＜第１の実施の形態＞
図１に示すように、本発明の第１の実施形態に係るかつら１は、かつらベース２とかつらベース２に植設された毛髪５とからなる。かつらベース２は、多角形の網目を有するネット部材３とネット部材３上に形成されたループ４とからなり、毛髪５は、ネット部材３及びループ４に植設されている。
ここで、ループ４とは、糸又は撚糸のようなフィラメントによって形成される曲線であって、半円状の緩やかな弧を描いてネット部材の表面から立ち上がる線状物を意味する。
また、ここでいうかつら１とは、頭部全体を被う全頭かつら又は頭部の一部分を覆う部分かつらであってもよい。
【００１３】
本明細書中において、ネット部材３について、網目形状が四角形のものを中心に説明するが、網目形状は四角形に限定されるものではなく、多角形状のものであってもよい。また、数種類の網目形状、例えば、五角形状の網目や六角形状の網目が混在するものであってもよく、網目パターンが菱形状や円形状などであってもよい。
【００１４】
ネット部材３の網目の大きさは、特に限定されるものではないが、２〜４ｍｍの範囲が好ましい。ネット部材３を構成する素材は特に限定されるものではないが、寸法安定性や形状安定性に優れるポリエステルやポリアミド樹脂がよく、かつらベース全体に柔軟性を付与するためにモノフィラメントを複数本撚ったマルチフィラメントで構成されることが好ましい。ネット部材３は、例えば平織りして交差した糸の交点を接着剤又は熱溶着で固定して形成することができるが、糸を編みこんで作成してもよい。
【００１５】
ループ４は可撓性を有することが好ましく、且つネット部材３に対して５０〜９０°の角度で立ち上がっていることが望ましい。ループ４の立ち上がり角度が５０°未満では毛髪を植設したかつら表面の凹凸の差が小さくなり、さらにループに植設した毛髪が十分に立ち上がらずボリューム感を出すことが困難になる。また、５０〜９０°の角度で立ち上がったループは、植設する毛髪の自重やブラシなどのブラッシング程度の力で撓む可撓性がある。ループ４は、ネット部材３を構成する糸との交点を熱溶着で固定して形成することができるが、ネット部材３の糸にループ４の糸を絡めて編みこんで作成してもよい。
【００１６】
ループ４に可撓性がないと、植設した毛髪が垂直に立ち上がってしまい、植設した毛髪の柔軟な動きが制限されるため、自毛のようにはあらゆる方向への動きができ難くなる。さらに、かつら装着時の意図しない毛分かれが発生し易く、自然な外観が得にくくなってしまうので、ループ４にはある程度の可撓性を有させることが好ましい。
【００１７】
ループ４を構成する素材は、特に限定されるものではないが、寸法安定性や形状安定性に優れるポリエステルやポリアミド樹脂製のフィラメントがよく、モノフィラメントやモノフィラメントを複数本撚ったマルチフィラメントで作製し得る。ループ４の太さは、特に限定されるものではないが、直径０．１〜０．２ｍｍの範囲が好ましい。ループの太さが０．１ｍｍより細いと、毛髪をループに植設したときに、毛髪との結び目で折り目がつき易く、毛髪の立ち上がりが悪くなり易い。ループの太さが０．２ｍｍを超えると、ループが目立って迷彩効果に劣り、かつらを装着していることが露見しやすくなる。また、毛髪の結び目が緩み易いため、かつらから毛髪の脱離が起こりやすくなる。
【００１８】
ネット部材３とループ４の頂点との距離ｈ（後述する第２の実施の形態で説明する図３を参照のこと。）は、２〜４ｍｍの範囲が好ましい。距離が４ｍｍ以上になると、ネット表面とループにそれぞれ植設した毛髪の結び目間の距離が離れ過ぎるため、植設した毛髪が浮いて見え、さらにループ４に植設した結着部分が目立ち不自然な外観になる虞が生じ得る。２ｍｍ未満の場合、ループが低過ぎてかつらベース表面の凹凸の差が少なくなり、植設した毛髪の根元部を立ち上げてボリュームアップを図ることが難しくなる。
【００１９】
ループ４の数とサイズは、所望の毛髪量などによって適宜選択すればよいが、例えば、ループ幅２〜４ｍｍ、ループ数１４〜３６個／ｃｍ２の範囲であれば好ましい。ループ４は、モノフィラメントあるいはマルチフィラメントをネット部材３の所望の辺上に固着して形成すればよい。
【００２０】
＜第２の実施の形態＞
第２の実施の形態に係るかつらベース２ａを図２及び図３に示す。なお、図３は図２の断面図である。
本第２の実施の形態において、図２ではかつらベース２ａのごく一部を示しているにすぎないが、かつらベース２ａにおいて、符号３１で示すフィラメントを縦糸とし、符号３２で示すフィラメントを横糸とすると、ループ４ａ１〜４ａｎは、縦糸３１のうち、隣り合う縦糸３１ａ，３１ｂ同士、縦糸３１ｂ，３１ｃ同士、縦糸３１ｃ，３１ｄ同士に順次架橋されて、上方に半円状の緩やかな弧を描く曲線で形成されている。本明細書では、隣り合う縦糸３１同士に橋渡しすることで形成されたループを第一ループ４ａという。そして、各第一ループ４ａ同士は、隣接するループの始点４１と終点４２とが縦糸３１において重ならないように形成されている。従って、隣り合う第一ループ４ａの仮想底辺４３は、それぞれ同一直線上に配置されていない。例えば、第一ループ４ａ１は、隣り合う縦糸３１ａ及び３１ｂ間に懸架されているが、次の第一ループ４ａ２は隣り合う縦糸３１ｂ及び３１ｃ間の半目ずれた位置で懸架され、次の第一ループ４ａ３は、隣り合う縦糸３１ｃ及び３１ｄ間の半目ずれた第一ループ４２ａと同じ位置で懸架されている。このように、第一ループ４ａ１〜４ａｎは隣接する縦糸３１間において、横方向に千鳥状に配列されて形成されている。
第一ループ４ａの大きさは、特に限定されるものではないが、実施の形態１のループ４について説明したように、直径０．１〜０．２ｍｍの範囲が好ましい。
【００２１】
前述したように、ネット部材３と第一ループ４ａの頂点との距離ｈは、２〜４ｍｍが好ましい（図３参照）。４ｍｍ以上になると、ネット表面とループに植設した各毛髪結び目間の距離が離れ過ぎて植設した毛髪が浮いて見えること、さらにループに植設した結着部分が目立ち過ぎて不自然な外観になる。２ｍｍ未満の場合、ループが低過ぎてかつらベース表面の凹凸の差が少なくなり、植設した毛髪の根元部を立ち上げてボリュームアップを図ることが難しくなる。
【００２２】
図４は、ネット部材３の網目が六角形のかつらベース２ａを示すものである。第一ループ４ａは、多角形の一つの辺１３１と辺１３１に隣接しない一つの辺１３２とを橋渡しして上方に半円状の緩やかな弧を描く曲線で形成されており、且つ隣り合う第一ループ４ａの底辺（図示せず）が、同一直線上に配置されていないところに特徴がある。すなわち、ネット部材３上で、隣接する第一ループ４ａの始点と終点とが重ならないように形成されている。隣接する第一ループ４ａ同士を同一直線上に配置するか又は隣接する第一ループ４ａの始点と終点とが重なるように配置すると、第一ループ４ａがネット部材３上で直線状に配置され、植設した毛髪が直線状に見えて不自然な外観となってしまうためである。なお、ここで多角形の一つの辺とは、多角形の頂点を含み、一つの頂点からもう一つの頂点までを結ぶ線をいう。
【００２３】
図５に示すように、第一ループ４ａの立ち上がり角度αは、ネット部材３に対して５０〜９０°の角度で立ち上がり、且つ可撓性を有することが好ましい。第一ループ４ａの立ち上がり角度が５０°未満では毛髪を植設したかつら表面の凹凸の差が小さくなり、さらに第一ループ４ａに植設した毛髪が十分に立ち上がらずボリューム感を出すことが難しくなる。５０〜９０°の角度で立ち上がった第一ループ４ａは、植設する毛髪の自重やブラシなどのブラッシング程度の力で撓む可撓性がある。
第一ループ４ａに可撓性がないと、植設した毛髪が垂直に立ち上がり、第一ループ４ａに植設した毛髪の自由度が制限されて、頭部に生育している自毛のようにはあらゆる方向への動きができ難くなること、かつら装着時の意図しない毛分かれが発生し易くなり、自然な外観を得ることが難しくなる。
【００２４】
第一ループ４ａの数とサイズは、所望の毛髪量などによって適宜選択すればよいが、本実施の形態においては、ループの幅は２〜４ｍｍが毛髪を植設した時にかつら全体として自然に見えるので好ましく、第一ループ４ａの数は１４〜１８個／ｃｍ２の範囲があらゆる毛髪量やスタイルに対応できるので好ましい。
【００２５】
第一ループ４ａは、フィラメント（モノフィラメントあるいはマルチフィラメント）をネット部材３の所望の辺上に固着して形成することができるが、ネット部材３のフィラメント（モノフィラメントあるいはマルチフィラメント）に編みこんで形成することが好ましい。この場合、ネット部材３のフィラメント全体に編み込んでループを形成しないことが望ましい。すなわち、隣接するループを共通のフィラメントで形成するのではなく、別々のフィラメントで形成する。例えば、図１０に示すように、フィラメント二本を撚って構成した隣接する縦糸３１にフィラメントを橋渡しして編み込んで第一ループ４ａを形成すればよい。このように、橋渡しする縦糸３１が異なれば、第一ループ４ａを構成するフィラメントも異なるようにすることで、ループを引っ張っても他のループが影響を受けることなく、毛髪の立ち上がりや外観に変化が出ないようにすることが可能である。
【００２６】
＜第３の実施の形態＞
図６に第一ループ４ａの他に、縦糸上に形成された複数の第二ループ４ｂを含むかつらベース２ｂを示す。
【００２７】
第二ループ４ｂの底辺は第一ループ４ａの底辺４３と交差している。第二ループ４ｂは第一ループ４ａ同様、ネット部材３に対して５０〜９０°の角度で立ち上がっていることが好ましい。また、ネット部材３と第一ループ４ａの頂点との距離も第一ループ４ａ同様、２〜４ｍｍが好ましい。このような条件で第二ループ４ｂを形成することで第一ループ４ａと第二ループ４ｂがお互いに支えあうので、さらに第一ループ４ａの可撓性を向上することが可能となる（図７参照）。
【００２８】
第二ループ４ｂを構成する素材は、特に限定されるものではないが、第一ループ４ａと同様に寸法安定性や形状安定性に優れるポリエステルがよく、モノフィラメントを複数本撚ったマルチフィラメントであってもよい。
第二ループ４ｂは、フィラメント（モノフィラメントあるいはマルチフィラメント）をネット部材３の所望の辺上に固着して形成することができるが、ネット部材３のフィラメント（モノフィラメントあるいはマルチフィラメント）に編みこんで形成してもよい。例えば、図１１に示すように編みこんで成形することができる。第二ループ４ｂの径のサイズは特に限定されるものではないが、第一ループ４ａと同様、直径０．１〜０．２ｍｍの範囲が好ましい。第一ループ４ａと第二ループ４ｂの数は、合計で３２〜３６個／ｃｍ２の範囲が、あらゆる毛髪量やスタイルに対応できるので好ましい。
【００２９】
網目が多角形である場合、第二ループ４ｂは、多角形の一つの辺１３１と辺１３１に隣接する多角形の一辺１３３上に形成される（図４参照）。
【００３０】
＜第４の実施の形態＞
図８及び図９に、第一ループ４ａ及び／又は第二ループ４ｂと反対方向、すなわち、かつら装着者の頭側に向けて、立ち上がる複数のクッションループ４ｃを備えたかつらベース２ｃの模式図を示す。
ネット部材３、第一ループ４ａ、第二４ｂは、第２の実施形態２及び第３の実施形態で説明したとおりである。
【００３１】
クッションループ４ｃは、かつら装着時に頭部に当接してかつらと頭部との間に隙間を作り、通気性を向上させることを目的としているので、高さは０．５〜２．０ｍｍの範囲がよい。０．５ｍｍ未満ではかつら装着時にかつらと頭部との間に十分な隙間ができないので通気性が向上しない。一方、２．０ｍｍ以上の場合、隙間が開き過ぎて、かつらが浮いて見えるので不自然な外観になり易いので好ましくない。
【００３２】
クッションループ４ｃを構成する素材は、特に限定されるものではないが、寸法安定性や形状安定性に優れるポリエステル或いはポリアミド樹脂がよく、クッション性をより向上させるために弾力性があるモノフィラメントが好ましい。クッションループ４ｃは、ネット部材３の所望の辺上に固着して形成することができるが、ネット部材３のフィラメント（モノフィラメントあるいはマルチフィラメント）に編みこんで形成してもよい。編みこみ法の一例を図１２に示す。この例では、フィラメント二本を撚って構成した隣接する縦糸３１にフィラメントを編みこんで、クッションループ４ｃを形成している。また、第一ループ４ａと同様に、多角形の一つの辺３１と該辺３１と隣接しない一つの辺３２とを橋渡しして形成されており、且つ隣り合う第一ループ４ａの底辺４３が、同一直線上に配置されないようにすることで頭部全体に万遍なくループが当接するので望ましい。
【００３３】
クッションループ４ｃの個数、立ち上がり角度θ（図５参照）は、第１のループ４ａと同一に設計してよい。
【００３４】
かつらベース２、２ａ、２ｂ及び２ｃは、縦方向、横方向ともＪＩＳ  Ｌ１０９６「一般織物試験法のＢ法（定荷重法）」に準拠した伸長率測定法で、２０〜２６％の伸長率の範囲が好ましい。伸長率が２０％未満の場合には、かつら装着時の頭部の動きに追随できず、頭部の大きな動きに対してかつら全体が動きやすくなるので安定性の面から好ましくない。伸長率が２６％以上の場合には、かつらベースが伸長した時に自然な外観を保つためのかつらベースへの適正な毛髪植設方法がないこと、かつらを固定した箇所が引っ張られる力が大きくなり装着者が痛みを感じてしまうことなどの理由で好ましくない。
【００３５】
＜第５の実施の形態＞
本発明のかつら１は、第１〜４の実施形態で説明したかつらベース２、２ａ、２ｂ及び２ｃのネット部材３とループ４、第一ループ４ａと第二ループ４ｂとに毛髪５が植設されている。
毛髪５は天然毛髪または人工毛髪のいずれであってもよい。毛髪５の植設方法は、特に限定されるものではなく、公知の方法によって行えばよい。植設する毛髪量は、所望の条件に応じて適宜選択すればよい。以下にかつらの製造方法の一例を示す。
【００３６】
伸長率が２０〜２６％の範囲にあるかつらベースは、かつら装着者の頭部形状に合わせることなく、平面形状の状態で頭部に装着してもある程度のフィット感が得られるが、かつら装着者の頭部形状の雄型にループ付ネットを張って固定した後に加熱成形して頭部形状を付与することが望ましい。加熱温度は、使用したネット素材の軟化温度程度に調節し、伸縮性を失わせない程度の濃度に調整したウレタンエラストマーやシリコーン樹脂溶液を頭部形状付与補助剤として塗布してもよい。頭部形状成形加工が終了した後に、頭部形状の雄型からかつらベースを外し、周縁部６にループ付ネットのほつれ防止のため、合成樹脂製からなるレーステープを半折り状態でループ付ネットの周縁付近を挟み込み、ミシンなどで縫製して一体化する。かつらベースに植設する毛髪の本数は、１本から複数本を一束にして適宜選択すればよい。
【００３７】
以上述べたように、本発明のかつらは、かつらベースに設けられた可撓性を有するループに植設された毛髪が頭部の動きに追随できるので、頭部に生育している自毛と近似する動きが可能になり、また、かつら装着時の意図しない毛分かれが防止できる。また、植設した毛髪の結び目の位置がループとネット部材では高さが異なるので、従来のかつらにおける毛髪の結び目と比べて各毛髪の結び目位置に高低差が生じることで迷彩効果が顕著になり自然な外観が得られる。
さらに、ネット部材に植設された毛髪がループに保持されるので毛髪の立ち上がりが良くなり、自然な外観やボリューム感が得られる。
また、かつらベースに設けられたクッションループが、かつら装着時に頭部に当接してかつらと頭部との間に隙間ができるので、かつら装着時の通気性が向上し、蒸れ等の不快感を取り除くことが可能になる。
【実施例１】
【００３８】
図１０に示すように、所定の間隔を有する略平行に並べた縦糸と横糸を用い、四角のネット目を有するネット部材上に、縦糸を橋渡しする第一ループ４ａを有するかつらベースを作成した。
【００３９】
すなわち、二本のフィラメントを絡めて構成する縦糸３１の撚目に横糸３２を通し、縦糸３１と横糸３２を絡めて四角のネット目を有するネット部材３を編成した。得られたネット部材３の隣り合う縦糸を一本のマルチフィラメントで橋渡しして、さらに縦糸３１に絡ませて編みこんで第一ループ４ａをネット部材上に形成した。１本のフィラメント又は糸をネット全体の縦糸に編み込んでループを形成するのではなく、隣接する縦糸のみに一本のフィラメント又は糸を編みこんで第一ループ４ａを形成している。すなわち、橋渡しした縦糸が異なる第一ループ４ａは異なるフィラメント又は糸で形成されている。また、縦糸は、第一ループ４ａによって連結されているので、横糸３２は、図１０のように、縦糸３１を貫通する補助的な連結方法でもかつらベースの強度等に問題はない。
【００４０】
縦糸の太さ：０．３ｍｍ（フィラメントを二本撚り合わせたマルチ糸）
第一ループ４ａ：０．０８５ｍｍのモノフィラメント糸を２本撚ったマルチ糸
横糸：０．１７ｍｍのモノフィラメント糸
第一ループ４ａの幅：２０ｍｍ
第一ループ４ａの高さ：３．０ｍｍ
第一ループ４ａの立ち上がり角度：８０°
隣接するループの終点と始点との距離：０．６ｍｍ
伸長率（％）：縦方向、横方向とも２１％（ＪＩＳ  Ｌ１０９６一般織物試験法のＢ法（定荷重法）に準拠）。
かつらベースへの毛髪の植設箇所：第一ループ４ａの最頂部、第一ループ４ａの最頂部と両端部との中間付近と、縦糸の長さ方向の隣接する第一ループ４ａ間の４ヶ所。
【００４１】
装着者の頭部の前頭部から後頭部のラインと上記条件で作製されたかつら用ベース素材の縦糸の長さ方向とを合わせ、毛髪付きかつらベースを頭部形状の雄型に張って固定してかつらベースを作製した。図１３に示すように第一ループ４ａの毛髪にはＭの方向性、縦糸３１の毛髪にはＮ及びＬの方向性を示すように毛髪を植設した。
【実施例２】
【００４２】
図１１に示すように、所定の間隔で略平行に並べた縦糸と、縦糸を連結する横糸と、隣り合う縦糸間に掛け渡した第一ループ４ａと、縦糸上に形成した第二ループ４ｂで構成されている。第二ループ４ｂは、縦糸上の長さ方向に沿って連続的に、且つ隣り合う縦糸上の第二ループ４ｂと半周期ずらして形成したこと以外は、実施例１と同一条件でかつらを作製した。
なお、第二ループ４ｂは太さ０．０８５ｍｍのモノフィラメントを２本撚ったマルチ糸を用い、縦糸と絡み合わせて編成した。
【実施例３】
【００４３】
第一ループ４ａは実施例と同一条件で形成し、クッションループ４ｃは０．１ｍｍのモノフィラメントを用いて図１２に示すように縦糸に編み込んでかつらベースを作成した。
他の条件は実施例１と同一の条件でかつらを作製した。
【００４４】
<比較例>
比較例１のかつらは、縦糸の長さ方向に沿った位置のみに第一ループ４ａを形成した以外は実施例１と同様に作成した。
【００４５】
比較例２のかつらは、縦糸に対する第一ループ４ａの立ち上がり角度を３０°とした以外は実施例１と同様に作成した。
【００４６】
比較例３のかつらは、隣接する第一ループ４ａの終点と始点とを重なるように形成した以外は実施例１と同様に作成した。
【００４７】
比較例４のかつらは、伸長率を縦方向、横方向とも１０％にした以外は実施例１と同様に作成した。
【００４８】
比較例５のかつらは、伸長率を縦方向、横方向とも３０％にした以外は実施例１と同様に作成した。
【００４９】
実施例１〜３のかつらは、何れもかつらベースに植設した毛髪が立ち上がり十分なボリューム感が得られた。また、自毛が生育している人体の頭部のような凹凸が生じ、さらにかつらベースの縦方向（頭部の前頭部から後頭部側の方向）と横方向（左右側頭部側）に所定の伸長率があることで頭部の動きに追随した自然な外観が得られるとともに、ループの自由度も高く、装着時の意図しない毛分かれは発生しなかった。さらに実施例３のかつらでは、頭部に当接する部分にもループが形成されているので、頭部とかつらの間に隙間が出来ることで、かつら装着時の通気性が良くなり長時間の装着も快適であった。
【００５０】
比較例１のかつらは、実施例と同様にかつらベースに植設した毛髪が立ち上がり十分なボリューム感が得られ、自毛が生育している頭部のように大きな凹凸が生じ、さらにかつらベースの縦方向と横方向に所定の伸長率があることで頭部の動きに追随できる。しかし、縦糸上の長さ方向に沿った位置のみに第一ループ４ａを形成しているので、縦糸の長さ方向の自由度が他の方向と比べて制限され、装着時の意図しない毛分かれが発生し、実施例１〜３のかつらと比べると外観の自然感は劣った。
【００５１】
比較例２は、ループの立ち上がり角度を実施例よりも低くしたことで、かつらベースに植設した毛髪の立ち上がりが不十分となりボリューム感は得られなかった。また自毛が生育している頭部のようには大きな凹凸が生じず、自然な外観に乏しいものであった。
【００５２】
比較例３のかつらは、隣接する第一ループ４ａの終点と始点とを重なるよう形成したため、植設した毛髪が直線状に整列してしまい不自然さが目立ち、また、隣接するループが当接するためループの自由度が制限されてしまい、自毛のような動きにならず不自然さが目立った。
【００５３】
比較例４のかつらは、かつらベースに植設した毛髪が立ち上がり十分なボリューム感が得られた。また、自毛が生育している頭部のような大きな凹凸が生じたが、かつらベースの伸長率を低くしたために、特にかつら装着時の頭部の大きな動きに十分追随できず、頭部の動きとかつらの動きに差が生じ、頭部に生育している自毛の挙動と異なり従来のかつらの装着時と同様の不自然さが残った。
【００５４】
比較例５のかつらは、比較例４同様にかつらベースに植設した毛髪が立ち上がり十分なボリューム感が得られ、且つ自毛が生育している頭部のような大きな凹凸が生じた。しかし、かつらベースの伸長率が高いために、頭部が大きく動いた時に、かつらも追随して動いてしまい、大きく伸長した部分の毛髪が薄く且つ直線的に見えて不自然であった。
【図面の簡単な説明】
【００５５】
【図１】本発明にかかるかつらを模式的に示した図である。
【図２】本発明にかかるかつらベースの第１の実施形態を示した断面図である。
【図３】図２の断面図である。
【図４】ネット部材の網目が六角形のかつらベースを示す図である。
【図５】第一ループ及びクッションループの立ち上がり角度を示す図である。
【図６】本発明にかかるかつらベースの第２の実施形態を示した断面図である。
【図７】図６の断面図である。
【図８】本発明にかかるかつらベースのさらに他の実施形態を示した断面図である。
【図９】図８の断面図である。
【図１０】実施例１のかつらベースの編み方を示す模式図である。
【図１１】実施例２のかつらベースの編み方を示す模式図である。
【図１２】実施例３のかつらベースの編み方を示す模式図である。
【図１３】実施例１〜３のかつらベースへの毛髪の方向性を示す図である。
【符号の説明】
【００５６】
１                  かつら
２、２ａ、２ｂ      かつらベース
３                  ネット部材
４                  ループ
４ａ                第一ループ
４ｂ                第二ループ
４ｃ                クッションループ
５                  毛髪
６                  周縁部
３１                縦糸
３２                横糸
４３                第一ループ４ａの底辺
１３１              多角形の一つの辺
１３２              隣接しない一つの辺
【図１】
2010144272.tif 000003
【図２】
2010144272.tif 000004
【図３】
2010144272.tif 000005
【図４】
2010144272.tif 000006
【図５】
2010144272.tif 000007
【図６】
2010144272.tif 000008
【図７】
2010144272.tif 000009
【図８】
2010144272.tif 000010
【図９】
2010144272.tif 000011
【図１０】
2010144272.tif 000012
【図１１】
2010144272.tif 000013
【図１２】
2010144272.tif 000014
【図１３】
2010144272.tif 000015